(57)【要約】【課題】  保護カバーを、壁面に穿設された引出孔の位置などの状況に適宜対応して、建物の直交する二つの壁面で構成される隅部に設置する。【解決手段】  室内の直交する天井壁面３１と側壁面３２とで構成される隅部３３に取付け、ケーブルＣを保護する保護カバー１であって、前記側壁面３２に取着される基台２と、前記基台２に取着されるカバー体１１とを備え、前記カバー体１１に互いに直交した大開口面１２及び小開口面１３を形成するとともに、第一側壁１５及び第一側壁１６を閉塞状態から開放状態に形成可能とし、前記大開口面１２の長さＬ１と小開口面１３の長さＬ２とを相違させた。【選択図】  図１
2005323432.tif 000002
【特許請求の範囲】
【請求項１】
建物の直交する二つの壁面で構成された隅部に設置され、該隅部において配線・配管材を保護する配線・配管材の保護カバーであって、
前記隅部を構成する壁面に固定される基台と、該基台に取着されるカバー体とからなり、
前記カバー体は、前記基台に取着された状態で、前記二つの壁面に沿ってそれぞれ配置される互いに直交した二つの開口面を有するとともに、前記二つの開口面と対向する反対側の二つの第一側壁が、該第一側壁から前記配線・配管材を引き出し可能とすべく、閉塞状態から開放状態に形成可能とされ、
前記カバー体の二つの開口面は、前記直交する方向の長さが相違して形成され、
前記カバー体を前記壁面に固定された基台に取着する際、該カバー体の二つの開口面が配置される前記二つの壁面を変更できるように、該基台に対する二方向の取着向きを選択可能に形成されたことを特徴とする配線・配管材の保護カバー。
【請求項２】
前記基台は、その全長がカバー体の取着向きに対応して変位可能に形成されたことを特徴とする請求項１に記載の配線・配管材の保護カバー。
【請求項３】
前記基台は、折取りまたは折曲によって全長が変位することを特徴とする請求項２に記載の配線・配管材の保護カバー。
【請求項４】
前記基台は、その端部が一方の壁面に当接した状態で他方の壁面に取着されることを特徴とする請求項１乃至請求項３のいずれか１項に記載の配線・配管材の保護カバー。
【請求項５】
前記カバー体は、二つの開口面と対向する反対側の二つの第一側壁における配線・配管材の保護材との接続部に配線・配管材が挿通される挿通口が形成され、該挿通口にこれを閉塞する閉塞体が着脱自在に取付けられたことにより、閉塞状態から開放状態に形成可能とされたことを特徴とする請求項１乃至請求項４のいずれか１項に記載の配線・配管材の保護カバー。
【請求項６】
前記カバー体は、二つの開口面と対向する反対側の二つの第一側壁にノックアウトが形成されたことにより、閉塞状態から開放状態に形成可能とされたことを特徴とする請求項１乃至請求項４のいずれか１項に記載の配線・配管材の保護カバー。
【請求項７】
前記カバー体は、壁面の隅部に取着された状態で二つの壁面の直交軸と直交し、相対向する一対の第二側壁が形成されており、該第二側壁に、壁面に沿って配設された障害物との干渉を防止するための除去部が形成されたことを特徴とする請求項１乃至請求項６のいずれか１項に記載の配線・配管材の保護カバー。
【請求項８】
前記カバー体の除去部は、第二側壁における二つの開口面が直交する角部に設けられたことを特徴とする請求項７に記載の配線・配管材の保護カバー。
【請求項９】
前記カバー体の除去部は、工具により切断可能な薄肉部で形成されたことを特徴とする請求項７または請求項８に記載の配線・配管材の保護カバー。
【請求項１０】
前記カバー体は、基台にその前方から取付け可能に形成されていることを特徴とする請求項１乃至請求項９のいずれか１項に記載の配線・配管材の保護カバー。
【請求項１１】
前記基台及びカバー体に、それぞれ互いに係合する係合部が設けられ、
前記カバー体は、その係合部が基台の係合部と係合することによって前記基台に取付けられることを特徴とする請求項１０に記載の配線・配管材の保護カバー。
【請求項１２】
前記カバー体の係合部は、第二側壁に設けられたことを特徴とする請求項１１に記載の配線・配管材の保護カバー。
【請求項１３】
前記カバー体の係合部は、第二側壁において除去部を除くより開口面に近い部分に設けられたことを特徴とする請求項１２に記載の配線・配管材の保護カバー。
【請求項１４】
前記カバー体の係合部は、各第二側壁において二つの壁面とそれぞれ対向する二箇所に設けられたことを特徴とする請求項１３に記載の配線・配管材の保護カバー。
【請求項１５】
前記カバー体の係合部は、基台の係合部に弾性的に係合することを特徴とする請求項１１乃至請求項１４のいずれか１項に記載の配線・配管材の保護カバー。
【発明の詳細な説明】
【技術分野】
【０００１】
本発明は、建物の直交する二つの壁面の隅部に取付けられ、壁面に穿設された引出孔から引出されたりした配線・配管材を保護する配線・配管材の保護カバーに関するものである。
【背景技術】
【０００２】
従来のこの種の配線・配管材の保護カバーとして、例えば、意匠登録第１０３５４７７号公報に掲載のものが開示されており、これを図１７乃至図１９に示す。
図１７において、建物の直交する二つの壁面である天井壁面３１と側壁面３２との隅部３３には該天井壁面３１にケーブルＣを室内側に引出すための引出孔３４が穿設されている。一方、側壁面３２には前記引出孔３４から引出されて該側壁面３２に沿って垂下するケーブルＣを覆って保護する直状保護カバー３６が取付けられている。前記天井壁面３１の引出孔３４と直状保護カバー３６の上端部との空きスペースには基台５２とカバー体５３とからなる保護カバー５１が着脱自在に取着されるものとなっている。
【０００３】
前記保護カバー５１は前記天井壁面３１と対向する開口面及び側壁面３２と対向する開口面が形成されており、先に該側壁面３２に基台５２を取着した後、カバー体５３を正面側から押込むことによって前記基台５２に該カバー体５３を取着できるようになっている。また、前記カバー体５３の底面にはケーブルＣを挿通させるためのノックアウト５４が形成されている。
【０００４】
このように構成された保護カバー５１を前記天井壁面３１と側壁面３２との隅部３３に取付けるには、まず、該天井壁面３１の引出孔３４と対応する位置において該側壁面３２に前記基台５２を取付ける。次に、前記基台５２の下端に直状保護カバー３６の上端を当接し、該直状保護カバー３６を設置する。これと併せて、前記カバー体５３のノックアウト５４を打抜いておく。そして、図１６に示すように、前記基台５２の正面側から該カバー体５３を取付け、その下端部を前記直状保護カバー３６と接続するとともに、上端部において前記引出孔３４を覆う。
【０００５】
これにより、前記保護カバー５１で引出部３４を覆ってその部分の見栄えを保つとともに該引出孔３４から引出されたケーブルＣを保護することができる。
【特許文献１】意匠登録第１０３５４７７号公報
【発明の開示】
【発明が解決しようとする課題】
【０００６】
ところで、前記天井壁面３１に穿設される引出孔３４は、室内外観上、できる限り該天井壁面３１と側壁面３２とが直交する隅部３３に近接させて目立たないように設けることが望ましい。
【０００７】
しかし、施工現場の状況によっては、前記隅部３３に天井裏の下地材が配設されていてその部分から室内中央側にずらさないと引出孔３４を穿設できないことがあり、また、作業的に足場が悪くて隅部３３に近接して設けることができないことがある。このような場合には、引出孔３４は隅部３３から室内中央側に離れた位置に設けざるを得ない。
【０００８】
ところで、このような場合には、従来の意匠登録第１０３５４７７号公報に掲載の配線・配管材の保護カバー５１などでは、前記引出孔３４の全体を覆うことができず、図１９に示すように、該引出孔３４の一部或いは全部が前記カバー体５３からはみ出してしまう。このため、室内の見栄えが損なわれ、また、室内外の空気が流出入して室内に塵埃等が侵入したり、室内の空調が不十分となるなどの不具合が発生した。その結果、引出孔３４の穿設位置を別の箇所に変更せざるを得ず、引出孔３４の設置位置を自在に設定することができなかった。
【０００９】
そこで、本発明は、建物の直交する二つの壁面で構成される隅部に設置されるものであって、壁面に穿設された引出孔の位置などの状況に適宜対応して設置することができる配線・配管材の保護カバーの提供を課題とするものである。
【課題を解決するための手段】
【００１０】
請求項１に係る配線・配管材の保護カバーは、建物の直交する二つの壁面で構成された隅部に設置され、該隅部において配線・配管材を保護するものであって、前記隅部を構成する壁面に固定される基台と、該基台に取着されるカバー体とからなり、前記カバー体は、前記基台に取着された状態で、前記二つの壁面に沿ってそれぞれ配置される互いに直交した二つの開口面を有するとともに、前記二つの開口面と対向する反対側の二つの第一側壁が、該第一側壁から前記配線・配管材を引き出し可能とすべく、閉塞状態から開放状態に形成可能とされ、前記カバー体の二つの開口面は、前記直交する方向の長さが相違して形成され、前記カバー体を前記壁面に固定された基台に取着する際、該カバー体の二つの開口面が配置される前記二つの壁面を変更できるように、該基台に対する二方向の取着向きを選択可能に形成されている。
【００１１】
前記基台はいずれか一方の壁面に取着され、または、二つの壁面に跨って取着される。前記基台は例えば樹脂材等で略平板状等に形成され、ねじ孔を設けておくことにより、ねじで壁面に取着することができる。また、少なくとも片面を平面に形成しておくことにより、両面接着テープ等によって壁面に取着することもできる。
【００１２】
一方、カバー体は前記基台に取付けることによって前記二つの壁面で構成された隅部に取着可能であり、直交する二つの開口面は直交方向の長さ即ち壁面の隅部に取着された状態において二つの壁面が直交する部分の直交軸から直交方向に該壁面に沿って配置される長さが相違して形成されている。更に、前記カバー体の開口面は壁面に設けられた引出孔を覆被可能な大きさに形成されている。
【００１３】
前記カバー体を直交する壁面で形成された隅部に取付けるには、前記カバー体をいずれの向きで取着するかを引出孔の穿設位置等との関係から決定し、前記カバー体の取着向きに応じて基台を壁面に取着する。併せて、前記カバー体における、前記壁面に沿って配設された直状保護カバーに対向する側の第一側壁を、配線・配管材を引出すために開放状態とする。次に、カバー体を前記基台に取付ける。
【００１４】
請求項２に係る配線・配管材の保護カバーは、請求項１に記載の基台が、カバー体の壁面の隅部への取着向きに対応して、全長即ち壁面の隅部に取着された状態において二つの壁面が直交する方向の長さが変位可能に形成されている。
【００１５】
請求項３に係る配線・配管材の保護カバーは、請求項２に記載の基台の全長が、折取りまたは折曲によって変位するものである。
【００１６】
請求項４に係る配線・配管材の保護カバーは、基台の端部が、一方の壁面に当接した状態で他方の壁面に取着されるものである。
【００１７】
請求項５に係る配線・配管材の保護カバーは、二つの第一側壁における配線・配管材の保護材との接続部に配線・配管材が挿通される挿通口が形成され、該挿通口にこれを閉塞する閉塞体が着脱自在に取付けられたことにより、閉塞状態から開放状態に形成可能とされている。ここで、前記配線・配管材の保護材は、内部に配線・配管材を収容してこれを保護する直状保護カバー、ダクト、モール等が該当する。
【００１８】
請求項６に係る配線・配管材の保護カバーは、二つの第一側壁にノックアウトが形成されている。
【００１９】
請求項７に係る配線・配管材の保護カバーは、カバー体に、壁面の隅部に取着された状態で二つの壁面の直交軸と直交し、相対向する一対の第二側壁が形成され、該第二側壁に、該壁面の隅部に沿って配設された障害物との干渉を防止するための除去部が形成されている。
前記除去部は、薄肉に形成することにより、ニッパ等の工具を用いて該障害物の外形状に合わせて切断、除去することができる。なお、前記第二側壁の除去部はノックアウトで形成することもできる。
【００２０】
請求項８に係る配線・配管材の保護カバーは、カバー体の除去部が、第二側壁における二つの開口面が直交する角部に設けられている。
【００２１】
請求項９に係る配線・配管材の保護カバーは、カバー体の除去部が、工具により切断可能な薄肉部で形成されている。
【００２２】
請求項１０に係る配線・配管材の保護カバーは、請求項１乃至請求項４のいずれか１項に記載のカバー体が、基台の前方から取付け可能に形成されている。
【００２３】
請求項１１に係る配線・配管材の保護カバーは、請求項１０に記載の基台及びカバー体に、それぞれ互いに係合する係合部が設けられ、前記カバー体は、その係合部が基台の係合部と係合することによって前記基台に取付けられるものである。
【００２４】
請求項１２に係る配線・配管材の保護カバーは、請求項１１に記載のカバー体の係合部が、第二側壁に設けられている。
【００２５】
請求項１３に係る配線・配管材の保護カバーは、請求項１２に記載のカバー体の係合部が、第二側壁において除去部を除くより開口面に近い部分に設けられている。
【００２６】
請求項１４に係る配線・配管材の保護カバーは、請求項１３の記載のカバー体の係合部が、各第二側壁において二つの壁面とそれぞれ対向する二箇所に設けられている。
【００２７】
請求項１５に係る配線・配管材の保護カバーは、請求項１１乃至請求項１４のいずれか１項に記載のカバー体の係合部が、基台の係合部に弾性的に係合するものである。
【発明の効果】
【００２８】
請求項１の配線・配管材の保護カバーは、カバー体を壁面の隅部に取着する際、壁面の引出孔の穿設位置等の各種状況に応じて、該カバー体の二つの開口面が配置される前記二つの壁面を適宜選択することができる。これにより、壁面に引出孔が設けられている場合に、前記引出孔が壁面の直交軸から離れた位置に設けられていても、該引出孔の全体を覆うことができ、配線・配管材を確実に保護するとともに、引出孔を介して屋内外の空気が屋内に流出入するのを防止して塵埃等の侵入を防ぐことができ、室温の変動を防止することもできる。そして、特に、前記引出孔が前記壁面の直交軸に近接した位置に設けられている場合は、保護カバーの室内側への張り出し量が小さいすっきりした外観で取着することができ、室内の見栄えを大きく向上することができる。
【００２９】
請求項２の配線・配管材の保護カバーは、請求項１に記載の基台の全長が、カバー体の取着向きに対応して変位可能に形成されているから、基台の全長を調整し、その端部を一方の壁面に当接するだけで、前記基台を所定位置に簡単に取付けることができる。
【００３０】
請求項３に係る配線・配管材の保護カバーは、請求項２に記載の基台の全長が、折取りまたは折曲によって変位するから、基台の全長を簡単に調整することができる。
【００３１】
請求項４に係る配線・配管材の保護カバーは、基台の端部が、一方の壁面に当接した状態で他方の壁面に取着される。したがって、請求項２と同様に、基台の端部を一方の壁面に当接するだけで該基台を所定位置に簡単に取付けることができる。
【００３２】
請求項５に係る配線・配管材の保護カバーは、二つの開口面と対向する反対側の二つの第一側壁における配線・配管材の保護材との接続部に配線・配管材が挿通される挿通口が形成され、該挿通口にこれを閉塞する閉塞体が着脱自在に取付けられている。これにより、配線・配管材の保護材と対向する側の第一側壁を簡単に閉塞状態から開放状態とすることができ、必要に応じて開放状態の挿通口に閉塞体を取付けて、簡単にカバー体の取着向きを変更でき、また、カバー体を再使用することもできる。
【００３３】
請求項６に係る配線・配管材の保護カバーは、二つの開口面と対向する反対側の二つの第一側壁にノックアウトが形成されたことにより、閉塞状態から開放状態に形成可能とされている。これにより、配線・配管材の保護材と対向する側の第一側壁を簡単に閉塞状態から開放状態とすることができる。
【００３４】
請求項７に係る配線・配管材の保護カバーは、カバー体の相対向する一対の第二側壁に、該壁面に沿って配設された障害物との干渉を防止する部分を除去可能な除去部が形成されている。これにより、二つの壁面の隅部に見切り材等の障害物が配設されている場合に、これとの干渉を簡易な構造で簡単に防止することができる。
【００３５】
請求項８に係る配線・配管材の保護カバーは、カバー体の除去部が、第二側壁における二つの開口面で形成された角部に設けられている。したがって、二つの壁面の隅部に配設された見切り材等の障害物の位置とが合致し、障害物への対応が容易である。
【００３６】
請求項９に係る配線・配管材の保護カバーは、カバー体の除去部が、工具により切断可能な薄肉部で形成されている。したがって、見切り材等の障害物に合致した形状に除去することが容易である。
【００３７】
請求項１０に係る配線・配管材の保護カバーは、請求項１乃至請求項４のいずれか１項に記載のカバー体が、基台にその前方から取付けられる。したがって、壁面に沿って配線・配管材の保護材が配設されている状態において、カバー体を取付けることができる。
【００３８】
請求項１１に係る配線・配管材の保護カバーは、請求項１０に記載の基台及びカバー体に、それぞれ互いに係合する係合部が設けられ、前記カバー体は、その係合部が基台の係合部と係合することによって前記基台に取付けられる。したがって、カバー体を基台の前方から取付けることができる。
【００３９】
請求項１２に係る配線・配管材の保護カバーは、請求項１１に記載のカバー体の係合部が、第二側壁に設けられている。したがって、カバー体の係合部を基台の係合部に適した位置に設けることができる。
【００４０】
請求項１３に係る配線・配管材の保護カバーは、請求項１２に記載のカバー体の係合部が、第二側壁において除去部を除くより開口面に近い部分に設けられている。したがって、除去部を除去することにより、係合部も除去されてしまうのを防止できる。
【００４１】
請求項１４に係る配線・配管材の保護カバーは、請求項１３の記載のカバー体の係合部が、各第二側壁において二つの壁面と対向する二箇所に設けられている。したがって、基台に対する二方向の取着向きの選択が可能である。
【００４２】
請求項１５に係る配線・配管材の保護カバーは、請求項１１乃至請求項１４のいずれか１項に記載のカバー体の係合部が、基台の係合部に弾性的に係合する。したがって、カバー体の係合部と基台の係合部との係合が容易である。
【発明を実施するための最良の形態】
【００４３】
本発明の配線・配管材の保護カバーは、建物の直交する二つの壁面で構成された隅部に取付けられる。前記保護カバーは、一般には、一方の壁面に配線・配管材を引出すための引出孔が設けられ、他方の壁面に前記引出孔から引出された配線・配管材を保護する直状保護カバー等の保護材が該他方の壁面に沿って取付けられており、この引出孔と直状保護カバーとの間に取付けられて配線・配管材を保護する。前記保護カバーは、その他には、二つの保護材が壁面に沿って直交する状態で配設されているとき、これらの直交する二つの保護材が直交する角部に取付けられて配線・配管材を保護する実施形態などがある。以下、これらの実施形態について順に説明する。
【００４４】
まず、本発明の一般的な実施形態を図１乃至図８に基づいて説明する。
ここで、本実施形態及び他の実施形態においては、建物の直交する二つの壁面として、水平面をなす天井壁面３１と垂直面をなす側壁面３２とを例として挙げた。但し、本発明を実施する場合には、これに限られるものではない。なお、壁面の直交軸とは、直交する二つの壁面が交差する部分に形成される直線を意味するものであり、図で示せば、天井壁面３１と側壁面３２とが交差する部分に直線として形成される直交軸３５である。
【００４５】
図１及び図２において、屋内の直交する二つの壁面である天井壁面３１と側壁面３２とで構成される隅部３３には、前記天井壁面３１に穿設された引出孔３４から引出された配線・配管材としてのケーブルＣを覆う保護カバー１が取付けられるものとなっている。前記引出孔３４は前記天井壁面３１と側壁面３２とが交差する直交軸３５に最も近い周縁が前記直交軸３５から距離Ｓ１だけ離間して公知のホルソー等の穿孔具を使用して穿設されている。また、前記側壁面３２には前記引出孔３４から引出されて該側壁面３２に沿って垂下するケーブルＣを覆う直状保護カバー３６が天井壁面３１から所定距離離間して該側壁面３２に沿って配設されている。なお、前記直状保護カバー３６は請求項の配線・配管材の保護材に相当し、該保護材の一例として挙げたものである。
【００４６】
前記保護カバー１は側壁面３２の上端部に取付けられる基台２とケーブルＣを覆って保護するカバー体１１とで構成されており、詳細を図３乃至図６に示す。
【００４７】
まず、基台２は、図３及び図４に示すように、全体が略平板状に形成され、その全長Ｈ１は前記直交軸３５と前記直状保護カバー３６の上端との間隔と同一に形成されている。ここで、前記基台２の全長とは前記側壁面３２に取付けられた状態における上下方向の長さを意味し、後述する該基台２の幅とはそれと直交する方向の長さを意味する。
【００４８】
前記基台２は、室内に面する表面３側に前記側壁面３２に図示しない螺子で取着するための取着孔４及び長孔５が穿設されている。更に、前記基台２の下部の左右両端部には左右一対の基台係合部６が設けられている。前記基台係合部６は前方に突出する略柱状の係合凸部６ａと、係合後、後述するカバー体１１の開口側の係合突条が収容される係合凹部６ｂとで形成され、該係合凸部６ａの前部の外側角部には前記カバー体の係合突条間への挿入を容易とするための面取り加工が長さ方向に施され、略４５度に傾斜する面取り部６ｃが形成されている。そして、上端から所定距離下方に離間した位置には幅方向に細長の溝孔７が形成されており、この部分で基台２を指で９０度前方に折曲し、或いは、幅方向に折取れるようになっている。また、基台２の表面３の両端部には後述する図９、図１０に示す見切り材３７等との干渉を防止すべくカッタ等で幅方向に切断して全長Ｈ１を調整するための目印となる等間隔或いは適宜間隔の目盛８が付されている。
【００４９】
前記基台２の裏面９側即ち前記側壁面３２と面する側は、図４に示すように、平坦面に形成され、全体が該側壁面３２に密接するものとなっており、前述のように螺子を使用して該側壁面３２に取着できるとともに、周知の両面接着テープを貼着することによっても取付けることができるようになっている。前記表面３の略中央部にはケーブルＣを図示しないバインド線、紐等で結束して一定位置に保持しておくための略コ字板状に形成された結束部１０が一体に設けられている。なお、前記基台２の裏面９は螺子のみで取付けるものとすれば、必ずしも平坦面に形成しなくてもよい。また、逆に、両面接着テープのみを使用して取付けるものとすれば、必ずしも取着孔４及び長孔５は設けなくてもよい。
【００５０】
次に、前記カバー体１１は、図３乃至図６に示すように、直方体の一部に傾斜面１４を形成して全体が略五角柱状をなす形状に形成されている。このうち互いに直交する２面は全体が開口する開口面に形成されており、開口面積の大きい大開口面１２と小さい小開口面１３とで構成されている。前記大開口面１２と小開口面１３とは幅Ｗが同一で直交方向の長さが相違しており、図５に示すように、該大開口面１２の長さＬ１＞該小開口面１３の長さＬ２の関係となっている。前記大開口面１２と小開口面１３とは直交しているので、前記大開口面１２を側壁面３２に沿って、前記小開口面１３を天井壁面３１に沿って同時に配置することができ、また、前記大開口面１２を天井壁面３１に沿って、前記小開口面１３を側壁面３２に沿って同時に配置することもできる。なお、前記小開口面１３の長さＬ２は少なくとも直交軸３５から引出孔３４の前記直交軸３５に最も近い周縁までの距離Ｓ１と引出孔３４の直径を加えた長さより大きく形成されており、また、カバー体１１の幅Ｗは少なくとも引出孔３４の直径より大きく形成されている。したがって、前記カバー体１１の大開口面１２を側壁面３２に対向して取付け、前記カバー体１１の小開口面１３を天井壁面３１に対向して取付けたとき、図２に示すように、前記引出孔３４はカバー体１１からはみ出ることなく、全体がこのカバー体１１によって覆われることとなる。
【００５１】
また、前記大開口面１２と対向する反対側には第一側壁１５が、前記小開口面１３と対向する反対側には第一側壁１６が形成されている。前記第一側壁１５及び第一側壁１６にはそれぞれ、図５及び図１に示すように、直状保護カバー３６の端部と接続可能であってケーブルＣを引出し可能な接続口１７及び接続口１８が設けられている。そして、前記接続面１５の接続口１７及び接続面１６の接続口１８には閉塞体１９が着脱自在に取付けられていて、ケーブルＣを引出して前記直状保護カバー３６の端部に挿通しないときには前記閉塞体１９を取付けて閉塞状態とし、該ケーブルＣを保護するものとなっている。前記接続口１７の内周壁１７ａ及び接続口１８の内周壁１８ａにはそれぞれその全長に至って凹状溝１７ｂ及び凹状溝１８ｂが形成されている。一方、前記閉塞体１９の外周壁１９ａには前記凹状溝１７ｂ及び凹状溝１８ｂに対応する形状に形成された突条１９ｂがその全長に至って形成されており、前記凹状溝１７ｂ及び凹状溝１８ｂに前記突条１９ｂを嵌合することにより、前記閉塞体１９を前記接続口１７及び接続口１８に着脱自在に取付けるようになっている。
【００５２】
更に、図５に示すように、前記閉塞体１９の内部は小接続口１９ｃが設けられており、この小接続口１９ｃには小閉塞体２０が着脱自在に取付けられている。前記小接続口１９の内周壁１９ｄにはその全長に至って凹状溝１９ｅが形成されている。一方、前記小閉塞体２０の外周壁２０ａには閉塞体１９の凹状溝１９ｅに対応する形状に形成された突条２０ｂがその全長に至って形成されており、前記凹状溝１９ｅに前記突条２０ｂを嵌合することにより、前記小閉塞体２０を閉塞体１９の小接続口１９ｃに着脱自在に取付けるようになっている。
【００５３】
更に、該小閉塞体２０の内部に打抜きによって開口するノックアウト２１が設けられている。前記閉塞体１９はこのように内部に小閉塞体２０、更には、その小閉塞体２０の内部にノックアウト２１が設けられているので、直状保護カバー３６の開口断面形状、大きさに対応して、閉塞体１９、小閉塞体２０及びノックアウト２１のいずれかを除去し、前記直状保護カバー３６に接続することができる。但し、他の手段によって前記直状保護カバー３６に接続できることはいうまでもない。
【００５４】
次に、前記カバー体１１には、前記隅部３３に取着された状態で、天井壁面３１と側壁面３２との直交軸３５と直交し、相対向する一対の略五角形状の第二側壁２２が形成されている。前記一対の第二側壁２２の内壁面には、前記接続口１７及び接続口１８に近接した位置にそれぞれ前記基台２の基台係合部６と係合するカバー体係合部２３及びカバー体係合部２４が設けられている。前記カバー体係合部２３は小開口面１３と平行する開口側の係合突条２３ａ及び内部側の係合突条２３ｂで形成され、また、前記カバー体係合部２４は大開口面１２と平行する開口側の係合突条２４ａ及び内部側の係合突条２４ｂで形成されており、前記基台２の基台係合部６の係合凸部６ａが前記カバー体１１の第二側壁２２における平行する２本の係合突条の間に嵌入することにより、前記基台２の正面側から該基台２に対して真直ぐにカバー体１１を押込んで取付けることができるようになっている。なお、前記基台２の係合部の係合凸部６ａの角部には略４５度に傾斜した面取り部６ｃが形成されているので、この面取り部６ｃが嵌入の案内となり、楽にカバー体１１を取付けることができる。
【００５５】
また、前記カバー体１１の第二側壁２２において、大開口面１２と小開口面１３とが直交する角部側には矩形状の薄肉部からなる除去部２５が形成されている。この除去部２５は天井壁面３１と側壁面３２とで構成された隅部３３において直交軸３５に沿って配設された後述する見切り材３７や側壁面３２に沿って配設された前記直状保護カバー３６などとの干渉を防止するために逃がし空間を形成するものであり、ニッパ等の工具で任意形状に切断できるものとなっている。なお、前記第二側壁２２の内壁面に形成されたカバー体係合部２３及びカバー体係合部２４は前記除去部２５が形成されているためにそれぞれこの除去部２５から離間したより小開口面１３及び大開口面１２に近い位置に設けられている。
【００５６】
ここで、前記基台２とカバー体１１との寸法関係について説明する。前記基台２の幅とカバー体１１の大開口面１２及び小開口面１３の幅Ｗとは同一寸法に形成されている。前記基台２の図１等に示す全長Ｈ１はカバー体１１の図５に示す大開口面１２の長さＬ１と同一に、また、前記基台２の図１等に示す溝孔７から下端までの長さＨ２はカバー体１１の図５に示す小開口面１３の長さＬ２と同一に形成されている。
【００５７】
次に、このように構成された本実施形態の保護カバーの取付けについて図１及び図２に基づいて説明する。なお、図１及び図２に示す態様においては、引出孔３４は天井壁面３１と側壁面３２との直交軸３５に最も近い周縁から該直交軸３５までが距離Ｓ１だけ離間した、該直交軸３５に近接した位置に設けられ、保護カバー１は上下方向に縦長の状態で取付けられる場合を示す。
【００５８】
まず、天井壁面３１にホルソー等の穿孔具を使用して前記直交軸３５に最も近い周縁が該直交軸３５から距離Ｓ１だけ離間した位置に引出孔３４を穿設する。次いで、前記引出孔３４に対応した位置において基台２の上端部を天井壁面３１に当接し、この状態で取着孔４及び長孔５に螺子を挿入して側壁面３２に螺着し、前記基台２を取付ける。ここで、基台２の上端部が天井壁面３１に当接するので、該基台２を水平面と垂直をなす方向即ち鉛直方向に固定することができる。なお、螺子の螺着に替えて、前記基台２の裏面８に予め両面接着テープを貼着しておき、前記側壁面３２に貼着することもできる。なお、先に前記基台２を側壁面３２に取付けた後、この基台２の位置に対応して天井壁面３１に引出孔３４を穿設してもよい。
【００５９】
次に、前記基台２の下端に直状保護カバー３６の上端を当接し、該直状保護カバー３６を側壁面３２に沿って取付ける。前記直状保護カバー３６は、図示しないが、ベース板とカバー部材とで構成されており、まず、両面接着テープ等を使用してベース板を側壁面３２に取着した後、このベース板にカバー部材を嵌着することによって取付けられる。これにより、天井壁面３１と直状保護カバー３６の上端部との間に空きスペースが形成される。
【００６０】
このようにして、基台２及び直状保護カバー３６を側壁面３２に取着したら、或いは、取着する前に、カバー体１１の第一側壁１６から閉塞体１９を取外して接続口１８を形成する。そして、カバー体１１を該基台２に前方から押込む。すると、前記基台２の基台係合部６の係合凸部６ａがカバー体１１のカバー体係合部２４における開口側の係合突条２４ａ内に弾性的に挿入された後、係合突条２４ｂとの間に嵌合する。これにより、前記カバー体１１は前記基台２に着脱自在に取付けられる。
【００６１】
ここで、基台２の図１に示す全長Ｈ１はカバー体１１の図５に示す大開口面１２の長さＬ１と同一に形成されているので、図２に示すように、前記天井壁面３１と直状保護カバー３６の上端部との間の空きスペースは隙間を生ずることなく前記カバー体で覆われることになる。また、前記接続口１８は直状保護カバー３６の断面形状、大きさに対応して形成されているので、前記カバー体１１の接続口１８と直状保護カバー３６の上端との間は隙間を生ずることなく接続されることになる。なお、前記直状保護カバー３６の断面が小さい場合には、それに対応して、カバー体１１の第一側壁１６から小閉塞体２０のみを取外し、或いは、ノックアウト２１を打抜いて該直状保護カバー３６と接続する。
【００６２】
これによって、引出孔３４は前記カバー体１１の小開口面１３によって完全に閉塞され、引出孔３４の一部がカバー体の小開口面１３からはみ出すことがない。そして、これにより、引出孔３４を介して室内外の空気の流出入を防ぐことができるとともに、特に、次に述べるように、室内の見栄えを著しく向上できる。
【００６３】
ここで、この図１及び図２に示す実施形態においては、次に述べる、図７及び図８に示す実施形態のように、保護カバー１を水平方向に横長の状態で取付けても引出孔３４を覆うことができ、横長で取付ければ、寸法的に余裕をもって前記引出孔３４を覆うことができる。しかし、横長であると、保護カバー１が室内側大きく張り出すため、室内外観を低下させることになる。この点、本実施形態においては、保護カバー１を上下方向に縦長の状態としたことにより、特に、前記保護カバー１を格別違和感なくすっきりした形態で取付けることができ、横長の状態と比べて室内の見栄えを著しく向上できる。
【００６４】
次に、引出孔３４が、図７に示すように、天井壁面３１と側壁面３２との直交軸３５に最も近い周縁が該直交軸３５から距離Ｓ２だけ離間した、該直交軸３５から離れた位置に設けられた場合の保護カバー１の取付けについて、図７及び図８に基づいて説明する。なお、前記引出孔３４が直交軸３５から離れた位置に穿設されるのは、隅部３３に天井裏の下地材が配設されており、その部分から室内中央側にずらさないと引出孔３４を穿設できないことがあり、また、作業的に足場が悪くて隅部３３に近接して設けることができないなどの事情による。このように引出孔３４が直交軸３５から離れた位置に設けられている場合には、これを覆うべく、保護カバー１は横長の状態で取付けることが必要となる。
【００６５】
前記保護カバー１を横長の状態で取付けるには、まず、図３に示す全長Ｈ１の基台２を溝孔７で折取って図７に示すように全長Ｈ２とする。なお、基台２を溝孔７の部分で正面側に向けて９０度折曲して同じく全長Ｈ２とすることもできる。次に、このように基台２を全長Ｈ２に形成したら、該基台２の上端を天井壁面３１と当接し、この状態で側壁面３２に固定する。以下、前述の縦長状態と同様にして、カバー体１１の第一側壁１５から閉塞体１９或いは小閉塞体２０等を除去して接続口１７を形成する。次いで、前記カバー体１１を前記基台２の正面側から真直ぐに押込んで取付ける。これにより、図８に示すように、カバー体１１は第一側壁１５の接続口１７と垂直方向の直状保護カバー３６の上端との間に隙間を生ずることなく取付けられる。そして、引出孔３４はカバー体１１からはみ出すことなく完全に覆われる。
【００６６】
なお、図９、図１０に示すように、天井壁面３１と側壁面３２との隅部３３において見切り材３７が直交軸３５に沿って設けられている場合がある。この場合には、基台２を前記見切り材３７の高さと対応する目盛８の部分においてカッタ等の工具を使用して幅方向に切断して全長を短縮するとともに、カバー体１１の薄肉形成された除去部２５において前記見切り材３７と干渉する部分をニッパ等の工具を使用して切断し、図９、図１０に示すように、前記基台２及びカバー体１１を取付けることができる。
【００６７】
ところで、上記実施形態において、基台２は、図１１に示すように、その上端部中央に正面側に９０度突出する鋭角三角形状の指針で形成した位置合わせ部４１を一体に設けておくこともできる。この位置合わせ部４１を設けた基台２は該位置合わせ部４１の先端を引出孔３４において最も直交軸３５に近い周縁に一致させることにより、該基台２を引出孔３４に対して水平方向に位置ずれしない状態で側壁面３２に取着することができ、該引出孔３４が該カバー体１１の幅方向にはみ出るのを確実に防止することができる。
【００６８】
また、上記各実施形態では、基台２とカバー体１１とは該基台２の基台係合部６と該カバー体１１のカバー体係合部２３またはカバー体係合部２４とを弾性的に係合させて一体化しているが、これに限られるものではなく、例えば、図１２に示すように、該基台２の表面３の下部に前方に突出するピン体４２を一体に設け、該カバー体１１の対応する位置に該ピン体４２が弾性的に圧入される挿入孔４３を設けたものとすることもできる。この場合には、カバー体１１の大開口面１２或いは小開口面１３が基台２の表面３と当接するまで押込むことにより、簡易な構造で基台２にカバー体１１を取着することができる。
【００６９】
更に、図１３に示すように、前記カバー体１１の大開口面１２及び小開口面１３の周端面全長に至って細溝を形成し、この細溝に円形、角形等の断面形状一定のゴム、軟質樹脂等からなるシール部材４４を嵌入して取付けておけば、該カバー体１１と基台２及び天井壁面３１との間の密閉性を高めることができる。なお、前記シール部材４４は基台２の表面３の周縁部にも取付けてもよい。また、前記シール部材は接着剤等を使用して取付けることもできる。
【００７０】
次に、他の実施形態の保護カバーを図１４乃至図１６に基づいて説明する。この実施形態では、二つの保護材が壁面に沿って直交する状態で配設されており、配線・配管材の保護カバーが前記二つの保護材が直交する角部に取付けられる。この実施形態においては、壁面には引出孔３４は設けられていない。
【００７１】
図１４及び図１５において、側壁面３２には垂直方向の保護材としての直状保護カバー３６と水平方向の保護材としての直状保護カバー３８とが配設され、各直状保護カバーはいずれも断面一定のコ字状をなす板材で形成され、側壁面３２に開口面を対向させた状態で配設されている。
【００７２】
このように配設された垂直方向の保護カバー３６と水平方向の直状保護カバー３８との角部の空きスペースに保護カバー１を取付けるには、まず、基台２を前記角部の所定位置に取着する。そして、これと平行して、保護カバー１の第一側壁１６から閉塞体１９或いは小閉塞体２０等を取外して接続口１８を形成する。また、前記水平方向の直状保護カバー３８の断面形状、大きさに対応して、ニッパ等の工具を用いて一方の第二側壁２２の除去部２５を切断する。次に、前記基台２の下端部に垂直方向の直状保護カバー３６の上端を当接するとともに該基台２の側端部に水平方向の直状保護カバー３８の端部を当接する。次いで、基台２の正面側からカバー体１１を押込んで該基台２に取着する。これにより、図１５に示すように、二つの直状保護カバーの角部への保護カバー１の取付けが完了する。
【００７３】
次に、図１６に示すように、水平方向の直状保護カバー３８が天井壁面３１に開口面を対向させた状態で配設されている場合には、保護カバー１を図１４及び図１５に示す上下方向に縦長の状態で取付けようとしても、前記水平方向の直状保護カバー３８の断面寸法がカバー体１１の矩形状に薄肉形成された除去部２５の範囲を超え、工具で前記直状保護カバー３８に対応した形状に切断するのが困難である。そこで、この場合には、カバー体１１を、図１６に示すように、水平方向に横長の状態で取付ければ、前記水平方向の直状保護カバー３８の断面形状に対応して除去部２５を切断することができ、両直状保護カバー間の角部に保護カバー１を取付けることができる。
【００７４】
即ち、この図１４乃至図１６に示す実施形態においては、直状保護カバーの配置状態に応じて保護カバー１の二方向の取着向きを選択することにより、直交する二つの直状保護カバー間の角部に前記保護カバー１を取付けることも可能である態様を示す。
【００７５】
ところで、前記カバー体１１は、図示はしないが、複数のケーブルＣを例えば強電用ケーブルと弱電用ケーブルとに区画するためのセパレータを、或いは、引出孔３４から引出された複数のケーブルＣを分岐して一定方向に導くためのガイド板を内部に一体にまたは着脱自在に設けておくこともできる。
【図面の簡単な説明】
【００７６】
【図１】本発明の実施形態における配線・配管材の保護カバーを天井壁面と側壁面との隅部に取付ける前の状態を示す斜視図である。
【図２】図１の保護カバーを天井壁面と側壁面との隅部に取付けた状態を示す斜視図である。
【図３】図１の保護カバーをカバー体側から見た分解斜視図である。
【図４】図１の保護カバーを基台側から見た分解斜視図である。
【図５】図３のカバー体の分解斜視図である。
【図６】図３のカバー体の平面図である。
【図７】図１の保護カバーを図１と別の向きで天井壁面と側壁面との隅部に取付ける前の状態を示す斜視図である。
【図８】図７の隅部に保護カバーを取付けた状態を示す斜視図である。
【図９】図１の隅部に見切り材が取付けられている場合において配線・配管材の保護カバーを取付けた状態を示す斜視図である。
【図１０】図１の隅部に見切り材が取付けられている場合において図９と別の向きで配線・配管材の保護カバーを取付けた状態を示す斜視図である。
【図１１】図１の基台の変形例を示す斜視図である。
【図１２】図１の保護カバーの変形例を示す側面図である。
【図１３】図１のカバー体の変形例を示す斜視図である。
【図１４】本発明の他の実施形態における配線・配管材の保護カバーを天井壁面と側壁面との隅部に取付ける前の状態を示す斜視図である。
【図１５】図１４の保護カバーを天井壁面と側壁面との隅部に取付けた状態を示す斜視図である。
【図１６】図１４の保護カバーを図１４と別の向きで天井壁面と側壁面との隅部に取付けた状態を示す斜視図である。
【図１７】従来の配線・配管材の保護カバーを天井壁面と側壁面との隅部に取付ける前の状態を示す斜視図である。
【図１８】図１７の保護カバーを天井壁面と側壁面との隅部に取付けた状態を示す斜視図である。
【図１９】図１７と別の位置に引出孔が穿設された場合の図１７の保護カバーを天井壁面と側壁面との隅部に取付けた状態を示す斜視図である。
【符号の説明】
【００７７】
１    保護カバー
２    基台
６    基台係合部
６ａ  係合凸部
６ｂ  係合凹部
６ｃ  面取り部
１１  カバー体
１２  大開口面
１３  小開口面
１５、１６  第一側壁
１７、１８  接続口
１９  閉塞体
２０  小閉塞体
２１  ノックアウト
２２  第二側壁
２３、２４  カバー体係合部
２３ａ、２３ｂ、２４ａ、２４ｂ  係合突条
２５  除去部
３１  天井壁面
３２  側壁面
３３  隅部
３４  引出孔
３５  直交軸
３６、３８  直状保護カバー
４２  ピン体
４３  挿入孔
４４  シール部材
Ｃ    ケーブル
【図１】
2005323432.tif 000003
【図２】
2005323432.tif 000004
【図３】
2005323432.tif 000005
【図４】
2005323432.tif 000006
【図５】
2005323432.tif 000007
【図６】
2005323432.tif 000008
【図７】
2005323432.tif 000009
【図８】
2005323432.tif 000010
【図９】
2005323432.tif 000011
【図１０】
2005323432.tif 000012
【図１１】
2005323432.tif 000013
【図１２】
2005323432.tif 000014
【図１３】
2005323432.tif 000015
【図１４】
2005323432.tif 000016
【図１５】
2005323432.tif 000017
【図１６】
2005323432.tif 000018
【図１７】
2005323432.tif 000019
【図１８】
2005323432.tif 000020
【図１９】
2005323432.tif 000021